(57)【特許請求の範囲】
【請求項１】
ユーザの端末装置および課金に応じて生成画像を生成する画像生成装置と通信ネットワークを介して接続し、該端末装置で表示できるデータを提供する管理装置であって、
上記ユーザに対応付けられた複数の上記生成画像であって、上記画像生成装置における画像生成に関する画像生成関連情報が対応付けられている生成画像を記憶する記憶部と、
上記記憶部に記憶されている複数の生成画像から、上記画像生成関連情報に基づいて分類された分類画像を用いて動画像を作成する作成部と、を備え、
上記画像生成関連情報は、上記生成画像を生成した上記画像生成装置の機種を示す機種情報を少なくとも含み、
上記作成部は、所定の背景画像の所定の部分に、上記分類画像の所定の部分をトリミングしたトリミング画像を配置して合成した合成画像を用いて上記動画像を作成し、
上記トリミング画像は、上記分類画像から抽出された人物領域の画像である
ことを特徴とする管理装置。
【請求項２】
上記画像生成関連情報は、上記生成画像に撮影されている人物を示す人物情報、および、上記生成画像が撮影された日時を示す撮影日時情報の少なくとも何れかを含むことを特徴とする請求項１に記載の管理装置。
【請求項３】
上記作成部は、スライドショー形式で表示する上記動画像を作成することを特徴とする請求項１または２に記載の管理装置。
【請求項４】
上記作成部は、パンズーム型の上記動画像を作成することを特徴とすることを特徴とする請求項１〜３の何れか１項に記載の管理装置。
【請求項５】
上記作成部は、上記分類画像または上記分類画像の所定の部分をトリミングしたトリミング画像が拡大または縮小する表示効果を有する上記動画像を作成することを特徴とする請求項４に記載の管理装置。
【請求項６】
上記作成部は、上記分類画像または上記分類画像の所定の部分をトリミングしたトリミング画像が所定の速度で移動する表示効果を有する上記動画像を作成することを特徴とする請求項４に記載の管理装置。
【請求項７】
上記作成部は、上記分類画像または上記分類画像の所定の部分をトリミングしたトリミング画像がズームインまたはズームアウトする表示効果を有する上記動画像を作成することを特徴とする請求項４に記載の管理装置。
【請求項８】
上記作成部は、複数の上記分類画像または上記トリミング画像を重畳して上記合成画像を生成することを特徴とする請求項１に記載の管理装置。
【請求項９】
上記作成部は、上記分類画像の所定の部分をトリミングしたトリミング画像を用いて上記動画像を作成することを特徴とする請求項１〜３の何れか１項に記載の管理装置。
【請求項１０】
上記作成部は、音楽が付加された上記動画像を作成することを特徴とする請求項１〜９の何れか１項に記載の管理装置。
【請求項１１】
ユーザの端末装置および課金に応じて生成画像を生成する画像生成装置と通信ネットワークを介して接続し、該端末装置で表示できるデータを提供する管理装置の制御方法であって、
上記ユーザに対応付けられた複数の上記生成画像であって、上記画像生成装置における画像生成に関する画像生成関連情報が対応付けられている生成画像から、上記画像生成関連情報に基づいて分類された分類画像を用いて動画像を作成する作成ステップを含み、
上記画像生成関連情報は、上記生成画像を生成した上記画像生成装置の機種を示す機種情報を少なくとも含み、
上記作成ステップでは、所定の背景画像の所定の部分に、上記分類画像の所定の部分をトリミングしたトリミング画像を配置して合成した合成画像を用いて上記動画像を作成し、
上記トリミング画像は、上記分類画像から抽出された人物領域の画像である
ことを特徴とする管理装置の制御方法。
【発明の詳細な説明】
【技術分野】
【０００１】
本発明は、写真シール作成装置で撮影された画像を管理するための管理装置および管理装置の制御方法、並びに、写真シール作成装置で撮影された画像を表示する端末装置、該端末装置の制御プログラムおよび該制御プログラムを記録したコンピュータ読み取り可能な記録媒体に関する。
【背景技術】
【０００２】
近年の写真シール作成装置には、撮影した画像を管理サーバに送信する機能を有したものが多い。ユーザは、この機能を様々な形で活用できる。例えば、特許文献１に記載されているように、ユーザは、自身の携帯端末を操作して、管理サーバに保存された画像をダウンロードし、携帯端末の画面に表示して楽しむことができる。
【先行技術文献】
【特許文献】
【０００３】
【特許文献１】特開２０１０−００９２５０号公報（２０１０年１月１４日公開）
【発明の概要】
【発明が解決しようとする課題】
【０００４】
しかしながら、上述のような従来技術は、ユーザに対して十分なサービスを提供できていないという問題がある。
【０００５】
本発明は、上記の問題点に鑑みてなされたものであり、その目的は、ユーザに対して有用なサービスを提供する管理装置および管理装置の制御方法を実現することにある。
【課題を解決するための手段】
【０００６】
上記の課題を解決するために、本発明に係る管理装置は、ユーザの端末装置および課金に応じて生成画像を生成する画像生成装置と通信ネットワークを介して接続し、該端末装置で表示できるデータを提供する管理装置であって、上記ユーザに対応付けられた複数の上記生成画像であって、上記画像生成装置における画像生成に関する画像生成関連情報が対応付けられている生成画像を記憶する記憶部と、上記記憶部に記憶されている複数の生成画像から、上記画像生成関連情報に基づいて分類された分類画像を用いて動画像を作成する作成部と、を備えることを特徴としている。
【０００７】
上記の構成によれば、上記作成部は、上記記憶部に記憶されている複数の生成画像から、上記画像生成関連情報に基づいて分類された分類画像を用いて動画像を作成する。そのため、上記管理装置は、作成した動画像をユーザの端末装置に提供することができ、ユーザに対して有用なサービスを提供することができるという効果を奏する。
【０００８】
また、本発明に係る管理装置において、上記画像生成関連情報は、上記生成画像に撮影されている人物を示す人物情報、上記生成画像を生成した上記画像生成装置の機種を示す機種情報、および、上記生成画像が撮影された日時を示す撮影日時情報の少なくとも何れかを含むことが好ましい。
【０００９】
上記構成によれば、上記作成部は、上記生成画像に撮影されている人物、上記生成画像を生成した上記画像生成装置の機種、および、上記生成画像が撮影された日時の少なくとも何れかに基づいて、上記複数の生成画像を分類することができる。
【００１０】
また、本発明に係る管理装置において、上記作成部は、スライドショー形式で表示する上記動画像を作成することが好ましい。
【００１１】
また、本発明に係る管理装置において、上記作成部は、パンズーム型の上記動画像を作成することが好ましい。
【００１２】
また、本発明に係る管理装置において、上記作成部は、上記分類画像または上記分類画像の所定の部分をトリミングしたトリミング画像が拡大または縮小する表示効果を有する上記動画像を作成することが好ましい。
【００１３】
また、本発明に係る管理装置において、上記作成部は、上記分類画像または上記分類画像の所定の部分をトリミングしたトリミング画像が所定の速度で移動する表示効果を有する上記動画像を作成することが好ましい。
【００１４】
また、本発明に係る管理装置において、上記作成部は、上記分類画像または上記分類画像の所定の部分をトリミングしたトリミング画像がズームインまたはズームアウトする表示効果を有する上記動画像を作成することが好ましい。
【００１５】
また、本発明に係る管理装置において、上記作成部は、所定の背景画像に上記分類画像または上記分類画像の所定の部分をトリミングしたトリミング画像を合成した合成画像を用いて上記動画像を作成することが好ましい。
【００１６】
また、本発明に係る管理装置において、上記作成部は、上記背景画像の所定の部分に、上記分類画像または上記トリミング画像を配置して上記合成画像を生成することが好ましい。
【００１７】
また、本発明に係る管理装置において、上記作成部は、複数の上記分類画像または上記トリミング画像を重畳して上記合成画像を生成することが好ましい。
【００１８】
また、本発明に係る管理装置において、上記作成部は、上記分類画像の所定の部分をトリミングしたトリミング画像を用いて上記動画像を作成することが好ましい。
【００１９】
また、本発明に係る管理装置において、上記作成部は、音楽が付加された上記動画像を作成することが好ましい。
【００２０】
また、上記の課題を解決するために、本発明に係る管理装置の制御方法は、ユーザの端末装置および課金に応じて生成画像を生成する画像生成装置と通信ネットワークを介して接続し、該端末装置で表示できるデータを提供する管理装置の制御方法であって、上記ユーザに対応付けられた複数の上記生成画像であって、上記画像生成装置における画像生成に関する画像生成関連情報が対応付けられている生成画像から、上記画像生成関連情報に基づいて分類された分類画像を用いて動画像を作成する作成ステップを含むことを特徴としている。
【００２１】
上記構成によれば、上記管理装置と同様の効果を奏する。
【発明の効果】
【００２２】
本発明は、ユーザに対して有用なサービスを提供することができるという効果を奏する。
【図面の簡単な説明】
【００２３】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態に係る管理装置の画像保存データベースに保存されている画像に対応付けられている画像管理情報の一例を示す図である。
【図１９】本発明の第１実施形態において、画像閲覧時に携帯端末の表示部に表示されるウェブページの一例を示す図である。
【図２０】本発明の第１実施形態において、画像閲覧時に携帯端末の表示部に表示されるウェブページの他の一例を示す図である。
【図２１】本発明の第１実施形態におけるリマインダメールに関する処理の流れを示すフローチャートである。
【図２２】本発明の第１実施形態におけるリマインダメールの一例を示す図である。
【図２３】本発明の第２実施形態に係る管理サーバの要部構成を示すブロック図である。
【図２４】本発明の第２実施形態における動画像生成処理の流れを示すフローチャートである。
【発明を実施するための形態】
【００２４】
〔実施形態１〕
本発明の第１実施形態について、図１〜図２２を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２５】
（撮影画像管理システム１０）
図２は、本発明の第１実施形態に係る撮影画像管理システム１０の構成を示す図である。図２に示すように、撮影画像管理システム１０は、写真シール作成装置１、携帯端末（端末装置）６、および管理サーバ（管理装置）４を備えている。
【００２６】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２７】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００２８】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００２９】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３０】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用のアカウント領域に、画像が保存される。
【００３１】
画像提供サイトへの画像保存後、ユーザは、携帯端末６または所望の他の装置を用いて画像提供サイトにログインして、画像をダウンロードすることができる。
【００３２】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３３】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３４】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３５】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３６】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３７】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３８】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００３９】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４０】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４１】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４２】
図３に示す編集部１２の構成を正面側の構成とすると、２組のユーザが同時に編集することができるように、編集部１２の正面側と背面側には編集制御に用いられる構成がそれぞれ設けられる。
【００４３】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４５】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４６】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００４７】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００４８】
（ユーザの移動）
写真シール作成ゲームの流れと、それに伴うユーザの移動について図５を参照して説明する。図５は、ユーザの移動について説明する図である。
【００４９】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５０】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５１】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５３】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５４】
画像の印刷が終了したとき、ユーザは、事後接客部１３に設けられた排出口からシール紙を受け取り、一連の写真シール作成ゲームを終えることになる。
【００５５】
（各部材の構成）
次に、写真シール作成装置１に備えられる各部材の構成について説明する。
【００５６】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５７】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００５８】
正面パネル４１のほぼ中央には撮影・表示ユニット８１が設けられる。撮影・表示ユニット８１は、カメラ９１、正面ストロボ９２、およびタッチパネルモニタ９３から構成される。
【００５９】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６０】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６１】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６２】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６３】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６４】
足元ストロボ８６の右側には、ユーザがお金を投入する硬貨投入返却口８７が設けられる。
【００６５】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６６】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６７】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００６８】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６９】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７０】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７１】
（事後接客部１３）
編集部１２の左側には事後接客部１３が設けられる。図９は、写真シール作成装置１に備えられる事後接客部１３の構成例を示す図である。
【００７２】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７３】
事後接客部１３は、ユーザに写真シール画像とともに送信されるコメント入力をさせてもよい。この場合、事後接客部１３は、所定の時間内に文字入力画面をタブレット内蔵モニタ１６１に表示させ、所定の文字数までの短文をユーザに入力させる。コメントの内容としては、写真シールの出来栄え、感想、被写体となった人へのメッセージ、撮影の目的、誕生日や入学、卒業の記念日やイベントの情報が記載される。
【００７４】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７５】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７６】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７７】
スピーカ１６５は、事後接客時の案内音声、ＢＧＭ、効果音等の音を出力する。
【００７８】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００７９】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３（送信部、受信部）、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８０】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８１】
通信部２０３はインターネットなどのネットワークのインタフェースであり、制御部２０１による制御に従って外部の装置と通信を行う。
【００８２】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８３】
ＲＯＭ２０６には、制御部２０１において実行されるプログラムおよびデータが記憶されている。ＲＡＭ２０７は、制御部２０１が処理するデータおよびプログラムを一時的に記憶する。
【００８４】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８５】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８６】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８７】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００８８】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００８９】
カメラ９１は、制御部２０１による制御に従って撮影を行い、撮影によって得られた画像（画像）を制御部２０１に出力する。
【００９０】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９１】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９２】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９３】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９４】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９５】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９６】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９７】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【００９８】
通信制御部３１１は、通信部２０３による外部の装置との通信を制御する。通信制御部３１１は、ユーザが画像提供サイトに保存するように指定した画像に、画像を一義的に特定するための画像ＩＤ、画像が撮影された日時を示す日時情報（撮影日時情報）、当該画像を撮影した写真シール装置を一義的に特定するための機器ＩＤ、画像に撮影されている人物を示す人物情報（（例えば人物名、会員ＩＤ））、撮影編集印刷に関連した情報等を対応付けて管理サーバ４に送信する。なお、通信制御部３１１は、機器ＩＤの代わりに、ユーザの携帯端末の位置を示す端末位置情報（例えば、ＧＰＳ情報等）または写真シール作成装置１の設置位置を示す設置位置情報等を画像に対応付けて送信してもよい。通信制御部３１１は、さらに、画像のコメント情報を画像に対応付けて送信してもよい。コメント情報とは、ユーザが画像に対する感想や写真シール作成装置でプレイした目的や気分、状況等について入力したコメントを示す情報である。
【００９９】
ここで、写真シール作成装置１が生成する画像には、３種類の画像がある。具体的には、（１）撮影制御部３１２がカメラ９１から取得する撮影画像、（２）撮影制御部３１２が撮影画像を修正した修正画像、および、（３）編集制御部３１３が、ユーザの操作に基づいて、撮影画像または修正画像を編集した編集画像である。この撮影画像、修正画像および編集画像を、生成画像と総称する。なお、撮影画像は、換言すると、カメラ９１が撮影した画像である。また、修正画像とは、撮影制御部３１２により、例えば、撮影画像に撮影されている人物の顔部位等が修正された画像である。より詳細には、修正画像は、目の大きさ、顔の大きさ（小顔処理）、およびその他の部位の大きさ、並びに部位の色等が修正された画像である。編集画像とは、例えば、編集落書き処理により、フレーム背景など合成画像が合成され、スタンプ画像またはペン画像が追記され、さらに色補正などが加えられた画像である。
【０１００】
通信制御部３１１は、管理サーバ４に撮影画像、修正画像および編集画像の少なくとも１種の画像を送信する。
【０１０１】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像ＩＤおよび日時情報を生成することもできる。
【０１０２】
編集制御部３１３は、編集部１２Ａおよび編集部１２Ｂによる画像に対する落書き編集等、写真シール作成ゲームにおけるユーザの編集制御に関する処理を制御する。
【０１０３】
印刷制御部３１４は、印刷部２１１によるシール紙の印刷等、写真シール作成ゲームにおけるユーザの印刷制御に関する処理を制御する。
【０１０４】
事後接客制御部３１５は、事後接客部１３による、編集作業を終了したユーザグループを接客する処理等、写真シール作成ゲームにおける事後接客に関する処理を制御する。事後接客制御部３１５は、事後接客の工程においてユーザが入力した情報に基づいて、人物情報等を生成してもよい。具体的には、事後接客制御部３１５は、ユーザに、一緒に撮った人の名前、その人のメールアドレス、その人との関係を入力させて、一緒に撮った人の名前を示す名前情報、ユーザと一緒に撮った人との関係（例えば、友人、彼氏、彼女、同級生等）を示す関係情報、および、一緒に撮った人のメールアドレスを示すメールアドレス情報を含む人物情報を生成してもよい。なお、事後接客制御部３１５は、画像に名前スタンプが含まれる場合、ユーザが名前スタンプについて入力した名前に基づいて、上記名前情報を生成してもよい。また、事後接客制御部３１５は、画像取得用に、ユーザと一緒に撮った人のメールアドレスが入力されている場合は、そのメールアドレスを流用して、一緒に撮った人のメールアドレスを示すメールアドレス情報を生成してもよい。
【０１０５】
また、事後接客制御部３１５は、事後接客の工程において、ユーザの所有する携帯端末６から端末位置情報を取得してもよい。また、事後接客制御部３１５は、事後接客の工程において、ユーザに画像に関するコメントを入力させて、コメント情報を生成してもよい。
【０１０６】
なお、本発明に係る写真シール作成装置１は、課金に応じて生成画像を生成する画像生成装置であると言える。
【０１０７】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１０８】
（制御部４０１の詳細）
図１に示すように、制御部４０１は、通信制御部（出力部）４１１、メール作成部４１２、ウェブページ作成部（ページ作成部）４１３、および画像管理部４１４を備えている。
【０１０９】
（通信制御部４１１）
通信制御部４１１は、通信部４０３による通信を制御する。
【０１１０】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１１】
メール作成部４１２は、画像データベース４２４に格納されている、所定のユーザの画像の画像管理情報（詳細は後述）を参照して、所定期間前（例えば、１年前等）に写真シール作成装置１によって撮影された画像を検出し、所定期間前に撮影された画像（またはサムネイル画像）を添付した、当該ユーザ宛のリマインダメールを作成する。さらに、メール作成部４１２は、画像管理情報を参照し、所定期間前に撮影された画像にユーザと一緒に写っている１または複数の人物を特定し、上記リマインダメールにおいて、一緒に撮影されている人物名を通知してもよい。さらに、メール作成部４１２は、上記リマインダメールに画像撮影時のコメントを記載してもよい。これにより、過去に撮影したプリ画像を振り返って、懐かしさや、新たな発見をユーザに与えることで、ユーザに対して会員登録継続の動機づけを行うことができる。
【０１１２】
換言すると、メール作成部４１２は、所定期間前に撮影された画像が画像データベース４２４に記憶されている場合、該画像の存在および該画像に対応付けられている人物情報の示す人物を携帯端末６に通知するリマインダメールを作成する。
【０１１３】
なお、所定期間前に撮影された画像が写真シール作成装置１によって落書き等が書き込まれた編集画像である場合、メール作成部４１２は、編集前の画像（元の画像）を上記リマインダメールに添付してもよい。これにより、ユーザが誰と一緒に撮った画像であるかを一目で把握することができる。この場合、編集前の画像は、撮影画像でもよいし、修正画像でもよい。なお、編集前の画像は、顔部位のみ修正された修正画像であることが好ましい。
【０１１４】
（ウェブページ作成部４１３）
ウェブページ作成部４１３は、携帯端末６に表示されるウェブページを作成する。本実施形態では、ウェブページ作成部４１３は、ウェブページデータベース４２３および画像データベース４２４に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１１５】
具体的には、ウェブページ作成部４１３は、画像データベース４２４に保存されている複数の画像を携帯端末６が表示するための画像一覧ページを作成する。より具体的には、ウェブページ作成部４１３は、会員ＩＤ（ユーザ）ごとに、当該会員ＩＤに対応付けられている画像を表示するための画像一覧ページを作成する。
【０１１６】
本実施形態では、ウェブページ作成部４１３は、後述の画像管理情報を参照して、地図ページおよび時系列ページを作成する。地図ページは、画像の撮影場所で画像が分類され、地図上に画像がマッピングされた画像一覧ページである。また、時系列ページは、画像の撮影日時で画像が分類され、時間軸上に画像が配置された画像一覧ページである。
【０１１７】
換言すると、ウェブページ作成部４１３は、写真シール作成装置１で撮影され、ユーザに対応付けられた複数の画像を携帯端末６にて表示するための地図ページであって、後述の撮影場所情報の示す位置に対応する地図上の位置に上記複数の画像を配置した地図ページを作成する。ウェブページ作成部４１３は、或る位置に複数の画像が対応付けられている場合（同一の場所で撮影された画像が複数ある場合）、当該位置に複数の画像を配置してもよいし、複数の画像から所定の基準（例えば、最新の画像）で選択した１または複数の画像（代表画像）を配置してもよい。なお、ウェブページ作成部４１３は、ユーザの現在地を中心にして所定の距離に撮影場所情報の示す位置がある場合、ユーザの現在地を中心にした地図ページを作成してもよい。また、ウェブページ作成部４１３は、所定の距離感に応じて、配置する画像のサイズを変更してもよい。すなわち、ウェブページ作成部４１３は、表示する地図の縮尺が小さい場合は、代表画像のサイズを大きくし、縮尺が大きい場合は、代表画像のサイズを小さくして表示してもよい。
【０１１８】
また、ウェブページ作成部４１３は、写真シール作成装置１で撮影され、ユーザに対応付けられた複数の画像を携帯端末６にて表示するための時系列ページであって、所定の期間毎に上記複数の画像をまとめて、時系列に上記複数の画像を配置した時系列ページを作成する。ウェブページ作成部４１３は、期間に応じて、時系列ページに掲載する画像のサイズを変更してもよい。すなわち、ウェブページ作成部４１３は、所定の枚数の画像を配置するとして、画像の表示可能領域により画像のサイズを定め、時系列の期間の長さに応じて表示領域が定まり、配置を行う。さらに細分化された期間で、複数の画像がある場合はその期間の最新の画像を代表画像とする。具体的には、ウェブページ作成部４１３は、上記所定の期間に含まれる画像の数が多いほど、当該画像のサイズを小さくし、上記所定の期間に含まれる画像の数が少ないほど、当該画像のサイズを大きくする。なお、ウェブページ作成部４１３は、上記期間毎に画像のサイズを変更してもよい。
【０１１９】
なお、ウェブページ作成部４１３は、有料会員であるユーザに対してのみ、上記地図ページおよび上記時系列ページを作成してもよい。すなわち、管理サーバ４は、目的別に画像が分類されているサービスを、有料会員のみに提供してもよい。
【０１２０】
また、本明細書中において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２１】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２２】
画像管理部４１４は、ユーザによって指定された画像を保存するとき、当該画像を管理するための画像管理情報を生成して、当該画像に生成した画像管理情報を対応付けて保存する。ここで、画像管理部４１４は、写真シール作成装置１から送信された画像に対応付けられた情報に基づいて、または、自動的に当該画像を解析して、当該画像の画像管理情報を生成する。画像管理部４１４が生成する画像管理情報には、画像ＩＤ、日時情報、および人物情報、撮影場所情報、撮影編集印刷に関連した情報、コメント情報等が含まれていてよい。なお、画像管理情報は、画像の属性を示す画像属性情報（タグ情報）とも言える。
【０１２３】
画像管理部４１４が生成する画像管理情報の一例を図１８に示す。図１８に示すように、画像管理情報は、「画像ＩＤ」、「人物情報」、「撮影場所情報」および「コメント情報」を含む。
【０１２４】
「画像ＩＤ」は、写真シール作成装置１から送信された画像に対応付けられた画像ＩＤである。図１８に示す例では、「画像ＩＤ」は、撮影日時、機器ＩＤ、および、その撮影日時で示される年月日に、その機器ＩＤの示す写真シール作成装置１で撮影された撮影画像に対して連続的に振られる番号である連番から構成される。すなわち、図１８に示す例では、画像ＩＤに日時情報および機器ＩＤが含まれる。
【０１２５】
なお、画像管理部４１４は、日時情報として、撮影日時の代わりに、画像が管理サーバ４に保存された日時を使用してもよい。すなわち、図１８に示す例において、画像ＩＤに、保存日時が含まれていてもよい。
【０１２６】
「人物情報」は、上述のように、画像に撮影されている人物を示す情報（例えば人物名、会員ＩＤ）である。画像管理部４１４は、写真シール作成装置１から送信される、画像に対応付けられた人物情報に基づいて、「人物情報」を生成する。代わりに、画像管理部４１４は、画像を解析して、「人物情報」を生成してもよい。この場合、画像から人物を特定するための情報、例えば、人物情報（人物名、会員ＩＤ）と、各人物撮像されている画像（基準画像）とが対応付けられた情報等が記憶部４０２に予め記憶されている。また、画像管理部４１４は、画像を解析して、画像に書き込まれた文字列から人物を特定してもよい。具体的には、画像管理部４１４は、画像に一緒に写っている他のユーザが管理サーバ４に会員登録している場合は、画像にひも付けされているメールアドレスにより、管理サーバ４が保存している会員データベース４２２の情報から他のユーザの会員情報がひも付けされる。一方、会員登録されていない場合は、画像管理部４１４は、顔画像を特定し、ユーザの顔画像以外の顔画像について、管理サーバ４上に顔画像登録して、管理サーバ４が保存する過去の顔画像データから同一人物と認証されるデータを検索し、その認証特定される過去の人物情報の画像と関連付ける。さらに、ユーザが過去にとった画像について、写真シール作成装置１または、管理サーバ４に記入されたコメント、写真シール作成装置１で入力された名前入力の内容、または人物情報で記載されている名前データ（略称も含める）で、同一の名前を検索しその画像と関連付ける。
【０１２７】
なお、図１８に示す例では、「人物情報」には、画像の所有者であるユーザを示す情報を含まず、画像に撮影されているユーザ以外の人物を示す情報のみが記述される。ただし、これに限るものではなく、「人物情報」に、画像の所有者であるユーザを含めた人物を記述してもよい。
【０１２８】
「撮影場所情報」は、画像が撮影された場所を示す情報である。画像管理部４１４は、写真シール作成装置１から送信される、画像に対応付けられた機器ＩＤ、端末位置情報または設置位置情報に基づいて、「撮影場所情報」を生成する。例えば、画像管理部４１４は、機器ＩＤ、端末位置情報または設置位置情報と、撮影場所情報とが対応付けられた撮影場所変換テーブルを参照し、機器ＩＤ、端末位置情報または設置位置情報に対応する撮影場所情報を特定して、「撮影場所情報」を生成してもよい。また、画像管理部４１４は、端末位置情報または設置位置情報をそのまま撮影場所情報としてもよい。
【０１２９】
「コメント情報」は、写真シール作成装置１または管理サーバ４に画像を保存登録する際に所定の文字数で記載する文字列で、撮影の目的、状況が記載される。その際に、そのコメント情報から、特定のキーワードを抽出し、記念日またはイベントなどの情報を抽出してもよい。記念日とは、誕生日、バレンタインデー、クリスマスなど、さらにイベントとは、入学、卒業、学園祭、修学旅行などである。これらの情報は上記コメント入力によらず、写真シール作成装置１での画像編集の情報により抽出してもよい。具体的には、記念日やイベントにかかわるスタンプを入力している場合はその記念日等の情報を特定しさらに、入力されたペン画像について、特定の文字認識により、文字列を抽出して、特定の記念日やイベントとして特定してもよい。さらに、写真シール作成装置１や管理サーバ４において、よく使用される記念日やイベントについて、一覧表示して、その一覧から選択させてもよい。
【０１３０】
また、ユーザは、写真シール作成装置１が生成した画像以外の画像を管理サーバ４に携帯端末６等から保存可能である。例えば、ユーザは、他の装置、ウェブサイト、アプリケーションによって生成・加工・編集等された画像を画像提供サイト（管理サーバ４）に保存可能である。この場合、画像管理部４１４は、写真シール作成装置１によって作成された画像以外の画像も、画像管理情報を生成して画像データベース４２４に保存する。
【０１３１】
（記憶部４０２の詳細）
図１に示すように、記憶部４０２は、メールデータベース４２１、会員データベース４２２、ウェブページデータベース４２３、および画像データベース４２４を有している。
【０１３２】
（メールデータベース４２１）
メールデータベース４２１は、ユーザに送信するメールを作成するための各種データを格納している。
【０１３３】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１３４】
（ウェブページデータベース４２３）
ウェブページデータベース４２３は、携帯端末６に表示される画像提供サイトのウェブページを作成するための各種データを格納している。
【０１３５】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３６】
図示はしないが、記憶部４０２は、写真シール作成装置１から受信した画像などのデータを一時的に保存する一時保存データベースも有している。
【０１３７】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３８】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１３９】
（制御部６０１の詳細）
図１２に示すように、制御部６０１は、通信制御部６１１、入力制御部６１２、および表示制御部６１３を備えている。
【０１４０】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１４１】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１４２】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１４３】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１４４】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４５】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４６】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１４７】
この要求を受けて、管理サーバ４は、無料会員登録を完了させる。具体的には、管理サーバ４が、会員データベース４２２にユーザ用のアカウント領域を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１４８】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１４９】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１５０】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１５１】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１５２】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１５３】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１５４】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１５５】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１５６】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１５７】
なお、写真シール作成装置１は、管理サーバ４が画像ＩＤおよびシールＩＤの作成に使用するアルゴリズムと同じアルゴリズムを用いて、通信によらない付帯情報で画像ＩＤおよびシールＩＤを作成してもよい。この場合、写真シール作成装置１は、管理サーバ４が画像ＩＤおよびシールＩＤを作成することなく、画像ＩＤおよびシールＩＤを得ることができ、かつ、管理サーバ４は、写真シール作成装置１が作成した画像ＩＤおよびシールＩＤを適切に認識して、対応する一時保管データベースに保存された画像を特定できる。例えば、シールＩＤは、撮影日時および機器ＩＤから生成され、画像ＩＤは、撮影日時、機器ＩＤおよび連番から生成されるものとする。
【０１５８】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１５９】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１６０】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１６１】
（案内メールの作成および送信）
通信制御部４１１は、受信したメールアドレスおよび画像ＩＤをメール作成部４１２に出力する。なお、シール紙にシールＩＤを印刷してもよく、この場合、メールに画像ＩＤは記載しなくてもよい。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１６２】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１６３】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１６４】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１６５】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。なお、この際に、画像管理部４１４は、保存する画像について、ユーザに所定の文字数のコメントを入力させて、ユーザが入力したコメントを示すコメント情報を保存する画像とひも付けてもよい。
【０１６６】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１６７】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１６８】
図１５（ｃ）に示すように、ウェブページ１１０７は、一つのサムネイル画像１１０４、および、全ての画像を保存するためのリンク画像１１０８を含んでいる。
【０１６９】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１７０】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１７１】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１７２】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。なお、画像管理部４１４は、保存する画像について、ユーザに所定の文字数のコメントを入力させて、ユーザが入力したコメントを示すコメント情報を保存する画像とひも付けてもよい。これにより、図１４に示す一連の処理は完了する。
【０１７３】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１７４】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザのアカウント領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１７５】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１７６】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１７７】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１７８】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１７９】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１８０】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１８１】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１８２】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７：出力ステップ）。なお、ウェブページ作成部４１３は、画像一覧ページ１０４１の内容に応じて、画像と共に、その画像に関する情報（写真シール作成装置１の情報や人物情報、コメント情報等）を一緒に掲載してもよい。
【０１８３】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８４】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１８５】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１８６】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１８７】
携帯端末６の通信制御部６１１は、通信部６０３を通じて、送信された画像を受信し、記憶部６０２に保存する（ステップＳ３２）。以上により、携帯端末６への画像保存処理が完了する。
【０１８８】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１８９】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１９０】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１９１】
（地図ページ）
ウェブページ作成部４１３は、図１７（ｃ）に示す画像一覧ページ１０４１に加えて（または代えて）、図１９に示すような地図ページ１０５１を作成してもよい。図１９は、ウェブページ作成部４１３が作成する地図ページの一例を示す図である。
【０１９２】
図１９に示すように、ウェブページ作成部４１３は、画像データベース４２４に保存されているユーザの画像１０５２を、画像１０５２に対応付けられている撮影場所情報に基づいて、所定の地域（例えば、渋谷、新宿、吉祥寺、京都等の都市）ごとにまとめた地図ページ１０５１を作成する。なお、画像１０５２を分類する地域の大きさは、図１９に示す例に限るものではなく、より大きい地域（例えば、都道府県単位、または、関東、近畿等の地方単位など）でもよい。
【０１９３】
ウェブページ作成部４１３は、ユーザが過去にプレイした写真シール作成装置１の店舗の分布を示す地図ページ１０５１を作成してもよい。ユーザが過去にプレイした店舗が１店舗の場合、当該店舗を中心にした所定の範囲が掲載された地図ページ１０５１を作成する。
【０１９４】
また、ウェブページ作成部４１３は、分類した所定の地域に複数の画像が含まれる場合、図１９に示すように、撮影日時順に重ねて地図上に配置する。なお、複数の画像の配置順序は、撮影日時順に限らず、画像の活用頻度の高いものから順に配置してもよい。ここで、活用頻度とは、例えば、他のユーザからの画像に対する評価等である。この場合、画像管理情報に活用頻度を示す活用頻度情報が含まれており、各画像に活用頻度情報が対応付けられている。
【０１９５】
また、図１９に示すように、ウェブページ作成部４１３は、画像１０５２の枚数が多い上位の地域（例えば、上位５か所の地域）が１画面に収まるように地図ページ１０５１を作成してもよい。さらに、図１９に示すように、ウェブページ作成部４１３は、画像１０５２の枚数が多い上位の地域が分離している場合、ページの表示領域を分割して、分離している地域をそれぞれ掲載してもよい。図１９に示す例では、渋谷、新宿、吉祥寺、京都の４つの都市が画像１０５２の枚数が多い上位の地域であり、京都と他の都市との距離が離れているため、渋谷、新宿、吉祥寺の３つの都市をメイン領域１０５３に掲載し、京都をサブ領域１０５４に掲載している。すなわち、ウェブページ作成部４１３は、分類した所定の地域間の距離が所定の距離以上の場合、複数の領域（３つ以上の領域でも可）に分割して画像を掲載する。さらに、ウェブページ作成部４１３は、ユーザの現在地を確認し、ユーザの現在地を中心にした地図ページ１０５１を作成してもよい。
【０１９６】
また、ウェブページ作成部４１３は、画像管理情報の示す撮影日時および連番等に基づいて、分類した地域ごとに、写真シール作成装置１の利用回数を特定し、地図ページ１０５１上に、地域ごとの利用回数を掲載してもよい。
【０１９７】
従来では、写真シール作成装置１の特性を生かしたアルバム表現形式をユーザに十分提供できていなかった。しかしながら、このように、画像を地域ごとに分類して掲載することにより、ユーザは写真シール作成装置１の利用履歴を地理的に把握することができる。
【０１９８】
（時系列ページ）
ウェブページ作成部４１３は、図１７（ｃ）に示す画像一覧ページ１０４１に加えて（または代えて）、図２０に示すような時系列ページ１０６１を作成してもよい。図２０は、ウェブページ作成部４１３が作成する時系列ページの一例を示す図である。
【０１９９】
図２０に示すように、ウェブページ作成部４１３は、画像データベース４２４に保存されているユーザの画像１０６２を、画像１０６２に対応付けられている日時情報に基づいて、所定の期間（例えば、日、週、月、年等）ごとにまとめて、時系列に画像１０６２を掲載する時系列ページ１０６１、１０６３を作成する。図２０（ａ）は、画像を月ごとにまとめて時系列に画像１０６２を掲載する例であり、図２０（ｂ）は、画像を年ごとにまとめて時系列に画像１０６２を掲載する例である。
【０２００】
ここで、ウェブページ作成部４１３は、ユーザの写真シール作成装置１の利用頻度、すなわち、画像の撮影枚数（画像の保存枚数）に基づいて、まとめる（分類する）期間の長さを決定してよい。換言すると、ウェブページ作成部４１３は、まとめる（分類する）期間に含まれる画像の枚数（または平均枚数）が所定枚数以上になるように、当該期間の長さを決定してよい。ウェブページ作成部４１３は、ユーザの利用頻度が高い場合、まとめる期間の長さを短く、例えば、日、週単位にする。一方、ウェブページ作成部４１３は、ユーザの利用頻度が低い場合、まとめる期間の長さを長く、例えば、月、年単位にする。すなわち、ウェブページ作成部４１３は、ユーザの利用頻度が高いほど、まとめる期間の長さを短くする。
【０２０１】
従来では、管理サーバ４に保存されている画像が増えてくると、日々、画像の整理が煩雑になると共に、徐々に一つ一つの画像に対する印象も薄れていく。しかしながら、このように、ユーザの利用頻度に応じて、まとめる期間の長さを変更することにより、画像の一覧性および検索性を向上させることができる。また、管理サーバ４は、携帯端末６を介して、時系列ページ１０６１、１０６３をユーザに提示することにより、過去に撮影した画像を振り返させ、懐かしさや新たな発見をユーザに与えることができ、ユーザに対して会員登録継続の動機づけを行うことができる。
【０２０２】
なお、ウェブページ作成部４１３は、まとめる（分類する）期間に含まれる画像が０の期間を省略して掲載してもよい。例えば、ウェブページ作成部４１３は、月ごとにまとめた場合に、２０１４年１月および３月の画像はあるが、２０１４年２月の画像はない場合、「２０１４年２月」を省略（「２０１４年２月」を掲載しない）してもよい。また、ウェブページ作成部４１３は、まとめる期間に含まれる画像が０の期間を除外して、ユーザの利用頻度に基づいて、まとめる期間の長さを決定してよい。
【０２０３】
また、ウェブページ作成部４１３は、まとめた期間内に含まれる画像を全て掲載せず、ダイジェスト形式で画像を掲載してもよい。すなわち、ウェブページ作成部４１３は、期間内に含まれる画像の一部を掲載してもよい。この掲載する一部の画像は、任意の画像でもよいし、上述の活用頻度の高い画像であってもよい。
【０２０４】
なお、ウェブページ作成部４１３は、画像一覧ページ１０４１、地図ページ１０５１または時系列ページ１０６１上に画像を掲載すると共に、その画像に関する情報も掲載してもよい。また、ウェブページ作成部４１３は、画像一覧ページ１０４１、地図ページ１０５１または時系列ページ１０６１上の画像をユーザが選択した場合に、当該ページ上に、選択された画像に関する情報が表示されるようにしてもよい。さらに、ユーザが撮影した場所や年月日や特定のキーワード等で検索できるようにしてもよい。
【０２０５】
（リマインダメール）
次に、図２１および図２２に基づいて、リマインダメールに関する管理サーバ４および携帯端末６の処理の流れについて説明する。図２１は、リマインダメールに関する管理サーバ４および携帯端末６の処理の流れの一例を示すフローチャートである。図２２は、管理サーバ４から携帯端末６へ送信されるリマインダメールの一例を示す図である。
【０２０６】
図２１に示すように、まず、メール作成部４１２は、ユーザごとに、画像データベース４２４に格納されている画像の中から、所定期間前に写真シール作成装置１によって撮影された画像を検出する。ここで、所定期間前に撮影された画像がある場合、メール作成部４１２は、当該画像のサムネイル画像を添付した、ユーザ宛のリマインダメールを作成する（Ｓ４１）。ここでは、メール作成部４１２が図２２に示すリマインダメール１０７１を作成したとする。
【０２０７】
図２２に示すように、メール作成部４１２は、画像管理情報を参照し、所定期間前に撮影された画像にユーザと一緒に写っている人物（Ａさん）を特定し、一緒に写っている人物名「Ａさん」を上記リマインダメールに記載する。また、メール作成部４１２は、ユーザがＡさんと撮った他の画像を掲載した画像一覧ページにアクセスするためのＵＲＬ１０７３もリマインダメールに記載する。
【０２０８】
そして、メール作成部４１２は、作成したリマインダメール１０７１を通信制御部４１１に出力する。通信制御部４１１は、通信部４０３を介して、ユーザのメールアドレス宛にリマインダメール１０７１を送信する（ステップＳ４２：出力ステップ）。
【０２０９】
携帯端末６の通信部６０３は、送信されたリマインダメール１０７１を受信し（ステップＳ４３）、通信制御部６１１に出力する。通信制御部６１１は、入力されたリマインダメール１０７１を表示制御部６１３に出力する。表示制御部６１３は、入力されたリマインダメール１０７１を表示部６０５に出力する。
【０２１０】
ここで、ユーザが、表示部６０５に表示されたリマインダメール１１０１を確認し、通知された１年前にＡさんと撮った画像を取得するために、入力部６０４を用いてサムネイル画像１０７２を選択したとする（ステップＳ４４）。
【０２１１】
入力制御部６１２は、この選択操作を受け付けて、サムネイル画像１０７２が選択されたことを通信制御部６１１に通知する。これにより通信制御部６１１は、選択されたサムネイル画像１０７２に対応する画像の提供を求めるリクエストを、通信部６０３を通じて管理サーバ４に送信する。
【０２１２】
管理サーバ４の通信制御部４１１は、通信部４０３を通じて、送信されたリクエストを受信する（ステップＳ４５）。次に通信制御部４１１は、携帯端末６から提供を求められたユーザの画像を通信制御部４１１に出力するように、画像管理部４１４に指示する。
【０２１３】
画像管理部４１４は、指示された画像を画像データベース４２４から取得し、通信制御部４１１に出力する。通信制御部４１１は、通信部４０３を通じて、入力された画像を携帯端末６に送信する（ステップＳ４６）。
【０２１４】
携帯端末６の通信制御部６１１は、通信部６０３を通じて、送信された画像を受信し、記憶部６０２に保存する（ステップＳ４７）。
【０２１５】
一方、Ｓ４３の後、ユーザが、表示部６０５に表示されたリマインダメール１１０１を確認し、Ａさんと撮ったその他の画像を取得するために、入力部６０４を用いてＵＲＬ１０７３を選択したとする（ステップＳ４８）。
【０２１６】
入力制御部６１２が、この選択操作を受け付けて、ＵＲＬ１０７３が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０２１７】
管理サーバ４の通信制御部４１１は、送信されたリクエストを、通信部４０３を通じて受け付ける（ステップＳ４９）。次に通信制御部４１１は、Ａさんと撮ったその他の画像を掲載した画像一覧ページの生成を、ウェブページ作成部４１３に指示する。
【０２１８】
ウェブページ作成部４１３は、画像一覧ページを生成するためのデータを、ウェブページデータベース４２３から取得する。ウェブページ作成部４１３は、画像管理情報の人物情報を参照し、画像データベース４２４に保存されているユーザの画像から、Ａさんが写っている画像を抽出して、画像一覧ページを生成し、通信制御部４１１に出力する。通信制御部４１１は、通信部４０３を通じて画像一覧ページを携帯端末６に送信する（ステップＳ５０）。
【０２１９】
携帯端末６の通信制御部６１１は、通信部６０３を通じて画像一覧ページを受信する。通信制御部６１１は、受信した画像一覧ページを表示制御部６１３に出力する。表示制御部６１３は、画像一覧ページを表示部６０５に出力する。結果、Ａさんと撮ったその他の画像を掲載した画像一覧ページが表示部６０５に表示される（ステップＳ５１）。
【０２２０】
従来では、管理サーバ４に保存されている画像が増えてくると、日々、画像の整理が煩雑になると共に、徐々に一つ一つの画像に対する印象も薄れていく。しかしながら、このように、所定期間前に撮影された画像があることをユーザに通知することにより、過去に撮影した画像を振り返させ、懐かしさや新たな発見をユーザに与えることができ、ユーザに対して会員登録継続の動機づけを行うことができる。
【０２２１】
なお、ウェブページ作成部４１３は、抽出したＡさんと撮ったその他の画像に、ユーザ（当該画像の所有者）およびＡさん（リマインダメールで通知した人物）以外の人物が写っている場合、すなわち、Ａさんと撮ったその他の画像に対応付けられている人物情報にユーザおよびＡさん以外の人物が含まれる場合、Ａさんと撮ったその他の画像から当該人物をトリミングして、または、当該その他の画像の当該人物の箇所にモザイクをかけて、画像一覧ページに掲載してもよい。
【０２２２】
また、所定期間前に撮影された画像にユーザ以外に複数の人物が撮影されている場合、ウェブページ作成部４１３は、当該複数の人物全てが写っている画像を抽出してもよいし、当該複数の人物の何れかが写っている画像を抽出してもよい。ここで、当該撮影されている人にも、上記リマインダメールを送信してもよい。
【０２２３】
さらに、上記リマインダメールは、ユーザが自分でメールを受信するかしないか設定できるものとしてもよい。その際に、ユーザがどれぐらいの長さの期間に、どのような画像を受信するか決めることができるものとする。たとえば、誕生日やクリスマス、バレンタインデーなどの特定の日が決まった記念日の１週間に、当該記念日の画像を受信するように設定してもよい。また、入学、卒業のシーズンとして４月、３月として、当該イベントの画像を各々所定の日付（例えば、４月１日や３月１５日）に受信できるように設定してもよい。
【０２２４】
〔実施形態２〕
本発明の他の実施形態について説明する。なお、説明の便宜上、実施形態１にて説明した図面と同じ機能を有する部材・構成については、同じ符号を付記し、その詳細な説明を省略する。本実施形態では、保存されている画像を用いて、新たな動画像を生成することができる。
【０２２５】
（管理サーバ５）
図２３は、本実施形態に係る管理サーバ５の要部構成を示すブロック図である。この図に示すように、管理サーバ５は、主に、制御部４０１、記憶部４０２、および通信部４０３を備えている。制御部４０１は、管理サーバ５に備えられる各部材を統括制御する。記憶部４０２は、管理サーバ５において使用される各種データを記憶する。通信部４０３は、撮影画像管理システム１０を構成する他の装置と通信する。
【０２２６】
（制御部４０１の詳細）
図２３に示すように、制御部４０１は、通信制御部４１１、メール作成部４１２、ウェブページ作成部４１３、画像管理部４１４および動画像生成部４１５を備えている。
【０２２７】
（動画像生成部４１５）
動画像生成部４１５は、写真シール作成装置１で撮影された画像およびその他の装置で生成・加工・編集等された画像の中から、所定の基準に基づいて複数の画像を抽出、整列し、所定のフォーマットでまとめて（他のメディアにコンバートする目的の）新たな動画像を生成する。換言すると、動画像生成部４１５は、画像データベース４２４に保存されている画像から、所定の基準に基づいて複数の画像を抽出し、抽出した画像から新たな動画または静止画を生成するものである。
【０２２８】
例えば、動画像生成部４１５は、抽出した画像を所定の順序（例えば、撮影日時順）に並べてスライドショー形式の動画を生成してよい。また、動画像生成部４１５は、静止画像の所定の部分をトリミングしてトリミング枠を所定の速度で移動または拡大縮小して動画を作成し、複数の画像からそれぞれ作成された複数の動画を繋げて１つの動画を作成してもよい（パンズーム型）。ここで、パンズーム型の動画とは、動画を構成するフレーム枠内において、抽出した画像または当該画像をトリミングした画像（トリミング画像）が、（１）上下左右等の任意の方向に所定の速度で移動する表示効果、（２）拡大もしくは縮小する表示効果、および、（３）ズームインもしくはズームアウトする表示効果の少なくとも何れかを有する動画である。また、動画像生成部４１５は、抽出した画像を平面上に並べて１枚の合成画像を生成してもよい。動画像生成部４１５は、合成画像として、例えば、卒業アルバムのような出版物の原稿データ等を生成してよい。ここで、卒業アルバムのような出版物の原稿データとは、例えば、単色または任意の絵柄の背景画像に、人物が写っている生成画像を合成した合成画像である。より具体的には、例えば、上記原稿データとは、上記背景画像の所定の部分（はめ込み枠）に、人物が写っている生成画像または当該生成画像から抽出した人物領域を配置した合成画像である。さらに、合成画像において、複数の生成画像または人物領域を重畳して配置してよい。
【０２２９】
動画像生成部４１５は、画像データベース４２４に保存されている画像から、例えば、ユーザのイベントの期間を示すイベント期間情報の示す期間に撮影された画像を抽出してよい。ユーザのイベントとは、例えば、Ｗｅｄｄｉｎｇ、忘年会、各中高大卒業（または各学期の終了）、誕生日、文化祭、体育祭、同窓会、冠婚葬祭等である。また、イベントの期間とは、例えば、Ｗｅｄｄｉｎｇの場合、生まれてから結婚式当日までであり、忘年会の場合、各年または或る年の特定の日であり、各中高大卒業の場合、入学から卒業までであり、誕生日の場合、生まれてから直近の誕生日まで、または、今までの各誕生日であり、文化祭および体育祭の場合、準備開始から当日までである。なお、イベント期間情報は、イベント期間情報は、ユーザによって入力された情報（例えば、生年月日、年齢、イベント期間情報そのもの）によって予め設定される。
【０２３０】
また、動画像生成部４１５は、生成した動画像に音声を付加してもよい。例えば、ユーザは携帯端末６に音声を入力し、携帯端末６は管理サーバ４に入力された音声データを送信し、動画像生成部４１５は携帯端末６から受信した音声を動画像に付加してよい。これにより、例えば、画像に写っている人物名や画像に落書きされた文字を、画像に写っている人物本人の声によって出力することができる。これにより、臨場感のある動画像を生成することができる。
【０２３１】
また、動画像生成部４１５は、抽出した画像が写真シール作成装置１によって編集された編集画像である場合、編集前の元の画像と、編集後の画像とを並べた動画像を生成してもよい。これにより、ユーザは、編集前後の変遷を楽しむことができる。
【０２３２】
また、例えば、イベントが同窓会の場合、ユーザは携帯端末６を介して、同窓会のメンバーを入力する。この場合、動画像生成部４１５は、ユーザに対応付けられた画像だけではなく、同窓会の各メンバーに対応付けられた画像から、イベント期間内に撮影された画像を抽出してもよい。
【０２３３】
（動画像生成）
次に、図２４に基づいて、動画像生成処理の流れについて説明する。図２４は、動画像生成処理の流れの一例を示すフローチャートである。
【０２３４】
図２４に示すように、ユーザは、携帯端末６の入力部６０４を操作することによって、動画像の生成を指示する（ステップＳ６１）。入力制御部６１２は、この選択操作を受け付けて、動画像の生成が指示されたことを通信制御部６１１に通知する。これにより通信制御部６１１は、動画像の生成を求めるリクエストを、通信部６０３を通じて管理サーバ４に送信する。
【０２３５】
管理サーバ４の通信制御部４１１は、通信部４０３を通じて、送信されたリクエストを受信する。次に通信制御部４１１は、受信したリクエストに基づく動画像の生成を動画像生成部４１５に指示する。動画像生成部４１５は、受信したリクエストに基づいて、画像データベース４２４から画像を抽出し、動画像を生成する（Ｓ６２）。
【０２３６】
動画像生成部４１５は、生成した動画像を通信制御部４１１に出力する。通信制御部４１１は、通信部４０３を通じて、入力された動画像を携帯端末６に送信する（ステップＳ６３：出力ステップ）。
【０２３７】
携帯端末６の通信制御部６１１は、通信部６０３を通じて、送信された動画像を受信し、記憶部６０２に保存する（ステップＳ６４）。
【０２３８】
なお、Ｓ６１において、ユーザは、イベント（またはイベント期間）、フォーマット（動画または静止画等）、音声、イベントのメンバー等、動画像の生成に必要な情報を入力する。また、ユーザは、イベント等の名称に関して動画のテーマ、構成される画像の一覧の確認を行い、イベント期間に応じて分類されて抽出された画像に対して、画像の削除・追加・変更してもよい。さらに、ユーザは、画像の表示順序、表示形式（スライドショー型等か）、ＢＧＭの選択を行う。なお、これらは、所定のイベントなどのテーマをユーザが選択した後に所定の設定により管理サーバ４が決定してもよい。
【０２３９】
従来では、管理サーバ４に保存されている画像を有効に活用することができず、他のユーザとの画像データの交換等に留まっていた。しかしながら、このように、管理サーバ４に保存されている画像から、ユーザのイベントに関する動画像を生成することにより、管理サーバ４に保存されている画像を活用し、新しく、多様な楽しみ方をユーザに提供することができる。
【０２４０】
〔変形例〕
（携帯端末によるページ作成処理および動画像生成処理）
上述の実施形態１および２では、管理サーバ４がページおよび動画像を生成して、携帯端末６は、管理サーバ４からページおよび動画像を受信している。しかしながら、これに限るものではない。例えば、携帯端末６の制御部（ページ作成部、動画像生成部）６０１がページ作成機能および動画像生成機能を有し、管理サーバ４から受信したデータに基づいて、ページおよび動画像を生成してもよい。
【０２４１】
具体的には、携帯端末６の通信制御部６１１が予め管理サーバ４からページおよび動画像の生成に必要なデータ（例えば、画像閲覧アプリおよび動画像生成アプリ）を受信しておく。そして、携帯端末６の通信制御部６１１が管理サーバ４から画像および該画像の画像管理情報を受信すると、携帯端末６の制御部６０１は、予め受信したデータに基づいて、地図ページ１０５１、時系列ページ１０６１、１０６３および動画像を生成する。
【０２４２】
〔管理サーバ４、５の機能のまとめ〕
本発明に係る管理サーバ４、５は、ユーザの携帯端末６および写真シール作成装置１と通信ネットワークを介して接続し、該携帯端末６で表示できるデータを提供する管理サーバ４，５であって、上記写真シール作成装置１で生成され、上記ユーザに対応付けられた複数の生成画像（撮影画像、修正画像および編集画像を含む）であって、当該写真シール作成装置１における画像生成に関する画像生成関連情報が対応付けられている生成画像を記憶する記憶部４０２と、上記記憶部４０２に記憶されている複数の生成画像から、ユーザの選択により、上記画像生成関連情報に基づいて分類された分類画像に関する情報を掲載したメール（リマインダメール１０７１）もしくはページ（地図ページ１０５１、時系列ページ１０６１、１０６３）、または当該分類画像から動画像を作成する作成部と、を備えることを特徴としている。
【０２４３】
ここで、作成部とは、メール作成部４１２、ウェブページ作成部４１３および動画像生成部４１５を含むものである。
【０２４４】
また、画像生成関連情報とは、具体的には、撮影場所情報、人物情報、写真シール作成装置１における撮影時の情報、編集時の情報、印刷時の情報および事後接客時の情報、写真シール作成装置１の機種を示す機種情報および当該写真シール作成装置１が設置されている店舗情報、日時情報（撮影日時、保存日時）、画像に付記したコメント情報、並びに、編集時の画像から分析された記念日またはキーワードなどのイベント情報等を含むものである。
【０２４５】
換言すると、画像生成関連情報とは、写真シール作成装置１で作成された画像を抽出閲覧するために必要な写真シール作成装置１特有の情報、または、写真撮影にかかわる情報、さらには、写真シール作成をするための情報を含むものである。
【０２４６】
分類画像とは、記憶部に記憶されている複数の生成画像を、画像生成関連情報（撮影場所情報、人物情報、日時情報、イベント情報等）に基づいて抽出され分類された画像である。
【０２４７】
〔本発明の参考に係る態様〕
上記の課題を解決するために、本発明の参考態様１に係る管理装置は、ユーザの端末装置および写真シール作成装置と通信ネットワークを介して接続し、該端末装置で表示できるデータを提供する管理装置であって、上記写真シール作成装置で生成され、上記ユーザに対応付けられた複数の生成画像であって、当該写真シール作成装置における画像生成に関する画像生成関連情報が対応付けられている生成画像を記憶する記憶部と、上記記憶部に記憶されている複数の生成画像から、ユーザの選択により、上記画像生成関連情報に基づいて分類された分類画像に関する情報を掲載したメールもしくはページ、または当該分類画像から動画像を作成する作成部と、を備えることを特徴としている。
【０２４８】
上記の構成によれば、上記作成部は、上記記憶部に記憶されている複数の生成画像から、ユーザの選択により、上記画像生成関連情報に基づいて分類された分類画像に関する情報を掲載したメールもしくはページ、または当該分類画像から動画像を作成する。そのため、上記管理装置は、作成したメールもしくはページ、または動画像をユーザの端末装置に提供することができ、ユーザに対して有用なサービスを提供することができるという効果を奏する。
【０２４９】
また、本発明の参考態様２に係る管理装置は、上記参考態様１において、上記作成部は、所定期間前に撮影された画像が上記記憶部に記憶されている場合、該画像の存在および該画像に対応付けられている人物情報の示す人物を掲載したメールを作成するメール作成部を備えることが好ましい。
【０２５０】
上記構成によれば、上記メール作成部は、所定期間前に撮影された画像の存在および該画像に対応付けられている人物情報の示す人物を掲載したメールを作成する。そのため、上記端末装置のユーザは、所定期間前に撮影された画像の存在および該画像に対応付けられている人物情報の示す人物（例えば、画像を一緒に撮影した人物）を知ることができる。よって、所定期間前の誰かに対応付けられた画像があることをユーザに通知することにより、過去に撮影した画像を振り返させ、懐かしさや新たな発見をユーザに与えることができ、ユーザに対して会員登録継続の動機づけを行うことができる。
【０２５１】
また、本発明の参考態様３に係る管理装置は、上記参考態様２において、上記メール作成部は、上記所定期間前に撮影された画像が上記写真シール作成装置によって編集された画像である場合、編集前の画像であって、顔部位のみが修正された画像を上記メールに掲載することが好ましい。
【０２５２】
上記構成によれば、上記メール作成部は編集前の画像であって、顔部位のみが修正された画像を上記メールに掲載するため、ユーザは、通知された画像に対応付けられている人物を一目で把握することができる。
【０２５３】
また、本発明の参考態様４に係る管理装置は、上記参考態様１において、上記作成部は、上記記憶部に記憶されている複数の生成画像を上記端末装置にて表示するための地図ページであって、上記画像生成関連情報に含まれる撮影場所情報の示す位置に対応する地図上の位置に上記複数の画像を配置した地図ページを作成するページ作成部をさらに備えることが好ましい。
【０２５４】
上記構成によれば、上記ページ作成部は、画像の撮影場所に対応する地図上の位置に上記複数の画像が配置された地図ページを作成する。そのため、上記端末装置のユーザは、写真シール作成装置の利用履歴を地理的に把握することができる。
【０２５５】
また、本発明の参考態様５に係る管理装置は、上記参考態様１において、上記作成部は、上記記憶部に記憶されている複数の生成画像を上記端末装置にて表示するための時系列ページであって、所定の期間毎に上記複数の生成画像をまとめて、時系列に上記複数の生成画像を配置した時系列ページを作成するページ作成部を備え、上記ページ作成部は、上記ユーザの上記写真シール作成装置の利用頻度が高いほど、上記期間の長さを短くすることが好ましい。
【０２５６】
上記構成によれば、上記ページ作成部は、上記ユーザの上記写真シール作成装置の利用頻度が高いほど、まとめる期間の長さを短くして、時系列に上記複数の画像を配置した時系列ページを作成する。そのため、ユーザの写真シール作成装置の利用頻度の高低に関わらず、画像の一覧性および検索性を向上させることができる。
【０２５７】
また、本発明の参考態様６に係る管理装置は、上記参考態様５において、上記ページ作成部は、各期間のうち、該当する画像が無い期間を省略して上記時系列ページを作成することが好ましい。
【０２５８】
上記構成によれば、上記ページ作成部は、各期間のうち、該当する画像が無い期間を省略して上記時系列ページを作成するため、画像の一覧性および検索性をより向上させることができる。
【０２５９】
また、本発明の参考態様７に係る管理装置は、上記参考態様１において、上記作成部は、ユーザのイベントの期間を示すイベント期間情報に基づいて、上記複数の生成画像の中から、該イベント期間情報の示す期間内に撮影された生成画像を抽出し、抽出した画像から新たな動画または静止画を生成する動画像生成部を備えることが好ましい。
【０２６０】
上記構成によれば、上記作成部は、ユーザのイベントの期間内に撮影された生成画像から新たな動画または静止画を生成する。よって、上記端末装置のユーザは、所定のイベントに関連する動画または静止画を容易に取得することができる。
【０２６１】
また、上記の課題を解決するために、本発明の参考態様８に係る管理装置の制御方法は、ユーザの端末装置および写真シール作成装置と通信ネットワークを介して接続し、該端末装置で表示できるデータを提供する管理装置の制御方法であって、上記写真シール作成装置で生成され、上記ユーザに対応付けられた複数の生成画像であって、当該写真シール作成装置における画像生成に関する画像生成関連情報が対応付けられている生成画像から、ユーザの選択により、上記画像生成関連情報に基づいて分類された分類画像に関する情報を掲載したメールもしくはページ、または当該分類画像から動画像を作成する作成ステップを含むことを特徴としている。
【０２６２】
上記構成によれば、本発明の参考態様１と同様の効果を奏する。
【０２６３】
また、上記の課題を解決するために、本発明の参考態様９に係る端末装置は、写真シール作成装置で生成された生成画像を管理する管理装置と通信ネットワークを介して接続し、該管理装置からデータを受信する端末装置であって、上記写真シール作成装置で生成され、上記ユーザに対応付けられた複数の生成画像であって、当該写真シール作成装置における画像生成に関する画像生成関連情報が対応付けられている生成画像から、ユーザの選択により、上記画像生成関連情報に基づいて分類された分類画像に関する情報を掲載したメールもしくはページ、または当該分類画像から作成された動画像を表示部に表示させる表示制御部を備えることを特徴としている。
【０２６４】
上記構成によれば、上記表示制御部は、上記複数の生成画像から、ユーザの選択により、上記画像生成関連情報に基づいて分類された分類画像に関する情報を掲載したメールもしくはページ、または当該分類画像から作成された動画像を表示部に表示させる。そのため、ユーザに対して有用なサービスを提供することができるという効果を奏する。
【０２６５】
本発明の各参考態様に係る端末装置は、コンピュータによって実現してもよく、この場合には、コンピュータを上記端末装置が備える各部として動作させることによって上記端末装置をコンピュータにて実現させる端末装置の制御プログラム、およびそれを記録したコンピュータ読み取り可能な記録媒体も、本発明の範疇に入る。
【０２６６】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２６７】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６９】
本発明は、写真シール作成装置において作成されたユーザの撮影画像を管理サーバに保存する撮影画像管理システムとして、幅広く利用することができる。
【符号の説明】
【０２７０】
１  写真シール作成装置
４、５  管理サーバ（管理装置）
６  携帯端末（端末装置）
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
４０１  制御部
４０２  記憶部
４０３  通信部
４１１  通信制御部（出力部）
４１２  メール作成部（作成部）
４１３  ウェブページ作成部（ページ作成部、作成部）
４１４  画像管理部
４１５  動画像生成部（作成部）
６０１  制御部
６０２  記憶部
６０３  通信部
６０４  入力部
６０５  表示部
６１１  通信制御部
６１２  入力制御部
６１３  表示制御部
【図１】
0005928627.tif 000002
【図２】
0005928627.tif 000003
【図３】
0005928627.tif 000004
【図４】
0005928627.tif 000005
【図５】
0005928627.tif 000006
【図６】
0005928627.tif 000007
【図７】
0005928627.tif 000008
【図８】
0005928627.tif 000009
【図９】
0005928627.tif 000010
【図１０】
0005928627.tif 000011
【図１１】
0005928627.tif 000012
【図１２】
0005928627.tif 000013
【図１３】
0005928627.tif 000014
【図１４】
0005928627.tif 000015
【図１５】
0005928627.tif 000016
【図１６】
0005928627.tif 000017
【図１７】
0005928627.tif 000018
【図１８】
0005928627.tif 000019
【図１９】
0005928627.tif 000020
【図２０】
0005928627.tif 000021
【図２１】
0005928627.tif 000022
【図２２】
0005928627.tif 000023
【図２３】
0005928627.tif 000024
【図２４】
0005928627.tif 000025